(57)【特許請求の範囲】
【請求項１】
定着用の加熱ローラと、該加熱ローラに圧接する加圧ローラと、上記加熱ローラから用紙を分離する分離部材と、用紙搬送方向出口側において上記分離部材に対向して設けられた出口側用紙ガイド部材を有する定着装置において、
上記出口側用紙ガイド部材は定着装置のフレームにより回動可能に支持され、該出口側用紙ガイド部材が支持される位置には、該フレームに対して上記出口側用紙ガイド部材を回動させるための隙間が設けられ、該隙間には、これを塞いで上記フレームの内部空間と外部空間との間での空気の流通を遮断する遮蔽部材が設けられていることを特徴とする定着装置。
【請求項２】
請求項１記載の定着装置において、
上記フレームの内部と外部とにおいて空気の流通が遮断される位置はフレームの上部側であることを特徴とする定着装置。
【請求項３】
請求項１または２記載の定着装置において、
上記遮蔽部材は弾性体が用いられることを特徴とする定着装置。
【請求項４】
請求項３記載の定着装置において、
上記弾性体が発泡部材であることを特徴とする定着装置。
【請求項５】
請求項３記載の定着装置において、
上記弾性体が不織布性の繊維素材が用いられることを特徴とする定着装置。
【請求項６】
請求項４記載の定着装置において、
上記発泡部材が単泡構造を有していることを特徴とする定着装置。
【請求項７】
請求項１乃至６のうちの一つに記載の定着装置を用いることを特徴とする画像形成装置。
【発明の詳細な説明】
【０００１】
【発明の属する技術分野】
本発明は、定着装置およびこれを用いる画像形成装置に関する。さらに詳しくいえば、定着部材から用紙を分離するための機構を備えた定着装置およびこれを用いる複写機やプリンタあるいは印刷機などの画像形成装置に関する。
【０００２】
【従来の技術】
画像形成装置には複写機、プリンタ、ファクシミリ装置および印刷機が含まれる。
【０００３】
これら画像形成装置には潜像担持体が備えられている。潜像担持体には画像情報に応じた静電潜像が形成され、静電潜像がトナーにより可視像化される。
【０００４】
可視像は用紙に転写され、可視像を表面に担持している用紙は熱と圧力を用いる定着装置を通過し、定着装置により可視像が用紙に定着される。定着装置の一つに熱ローラ方式と称呼される装置がある。この方式を採用する定着装置には加熱ローラと加圧ローラとが含まれる。加熱ローラと加圧ローラとは用紙搬送路を挟んで互いに当接可能であり、当接した位置の周面にニップ部を形成する。用紙はニップ部を通過するとき、熱と圧力を加えられて可視像中のトナーを浸透させて定着される。
【０００５】
加熱ローラは用紙上のトナーに直接接触する位置に配置されている。このため、溶融されたトナーが周面に付着しやすい。用紙に対してトナーが完全に浸透していないときにはトナーの粘性により用紙がトナーと共に加熱ローラ周面に付着することがある。用紙が加熱ローラに付着すると加熱ローラに用紙が巻き付き、正常な搬送路とは異なる方向に搬送される。この現象はジャムと称され、正常な搬送形態ではなく定着装置内に用紙が滞ってしまう結果を招く。
【０００６】
定着装置には加熱ローラの近傍に分離爪が設けられている。分離爪は加熱ローラに巻き付いたままで移動しようとする用紙を加熱ローラから剥離するために用いられる。分離爪はこれと対向する位置に配置されている用紙ガイド部材と協働することにより加熱ローラ周面から剥離した用紙を正常な搬送路に向けてガイドする。
【０００７】
分離爪の先端は先鋭化されて加熱ローラ周面に当接している。この結果、分離爪と加熱ローラとの間には用紙が入り込む隙間はなく、用紙が加熱ローラから分離される。
【０００８】
【発明が解決しようとする課題】
分離爪は、常時加熱ローラ周面に先端が当接しているので、経時的に摩耗やトナーの堆積が生じ、加熱ローラ表面から浮き上がる可能性がある。
【０００９】
分離爪の先端が加熱ローラ表面から浮き上がると用紙が分離爪と加熱ローラとの間に発生する隙間に入り込みやすくなる。この結果、分離爪と加熱ローラ周面との間で用紙が進行を妨げられ、ジャムが発生する。
【００１０】
ジャムが発生した場合に用紙を取り出すための公知例として、主に定着装置での用紙搬送路を外部に露出できる構成がある（例えば、特開平９−２７４４２１号公報、特開平５−２８９５７０号公報）。
【００１１】
特開平９−２７４４２１号公報には、筐体壁部の一部を開閉扉とし、開閉扉が開けられると定着装置が連動して筐体外部に引き出され、外部でジャム用紙を取り除くことができる構成が開示されている。
【００１２】
特開平５−２８９５７０号公報には、定着ユニットが上下に分割され、加熱ローラを備えている上側のユニットが用紙の搬送方向に対して直角に離れることができ、離れることにより用紙の搬送路を開放することができる構成が開示されている。
【００１３】
ところで、定着装置により加熱される用紙は、与えられる熱により自身に含まれている水分が蒸発し蒸気を発生する。
【００１４】
蒸気は定着装置内から画像形成装置内に漏れると画像形成装置内に溜まったままの蒸気が画像形成装置内で結露を招く虞がある。特に、長時間放置された場合には、画像形成装置内に溜まっている蒸気が冷やされると結露し、水滴となって潜像担持体表面に付着する可能性がある。潜像担持体表面に水滴が付着すると感光特性を変化させたりトナー像が流されて正常な画像を得ることができない。
【００１５】
上記公報に開示された構成によれば、用紙の搬送路を開放して用紙を取り出すことが可能である。しかし、いずれの公報においても定着装置の周辺は開放されて画像形成装置内部と空気の流通が可能となっており、蒸気が画像形成装置内部に移動可能である。この結果、定着装置で発生した蒸気が画像形成装置内部に流れて結露する問題が解消されないままとなっている。
【００１６】
本発明の目的は、上記定着装置およびこれを用いた画像形成装置における問題に鑑み、定着装置内で発生した蒸気が画像形成装置内部に侵入するのを確実に防止することが可能な構成を備えた定着装置およびこれを用いた画像形成装置を提供することにある。
【００１７】
本発明の他の目的は、結露による異常な画像の発生を防止することが可能な構成を備えた定着装置およびこれを用いた画像形成装置を提供することにある。
【００１８】
【課題を解決するための手段】
請求項１記載の発明は、定着用の加熱ローラと、該加熱ローラに圧接する加圧ローラと、上記加熱ローラから用紙を分離する分離部材と、用紙搬送方向出口側において上記分離部材に対向して設けられた出口側用紙ガイド部材を有する定着装置において、上記出口側用紙ガイド部材は定着装置のフレームにより回動可能に支持され、該出口側用紙ガイド部材が支持される位置には、該フレームに対して上記出口側用紙ガイド部材を回動させるための隙間が設けられ、該隙間には、これを塞いで上記フレームの内部空間と外部空間との間での空気の流通を遮断する遮蔽部材が設けられていることを特徴としている。
【００１９】
本発明では、出口側用紙ガイド部材が支持される位置に、フレームの内部空間と外部空間との間で空気の流通を遮断するための部材が設けられている。このため、定着装置の内部で発生した蒸気の一部が、定着装置の内部で発生する上昇気流により上記隙間に向けて移動しても出口側用紙ガイド部材とフレームとの対向面間に位置する遮蔽部材によって移動が遮断されることになる。
【００２２】
請求項２記載の発明は、上記フレームの内部と外部とにおいて空気の流通が遮断される位置がフレームの上部側であることを特徴としている。
本発明では、フレームの内部空間で発生した蒸気が移動しようとする上部側において蒸気を遮断することができる。本発明によれば、フレーム内で加熱されることにより発生する上昇気流によって移動しようとする蒸気を確実に遮断することが可能となる。
【００２３】
請求項３記載の発明は、上記遮蔽部材が弾性体が用いられることを特徴としている。
本発明では、遮蔽部材が弾性変形できるので、出口側用紙ガイド部材の位置ずれによって変形することができ、出口側用紙ガイド部材との対向関係を常に維持して出口側用紙ガイド部材と密着することができる。本発明によれば、出口側用紙ガイド部材と遮蔽部材とが密着を維持できるので、蒸気を含む空気の流通を完全に遮断することが可能となる。
【００２４】
請求項４記載の発明は、上記弾性体が発泡部材であることを特徴としている。  本発明では、発泡性によって遮蔽部材の弾性変形を良好に行わせることができる。本発明によれば、遮蔽部材の弾性変形が適切に行えるので出口側用紙ガイド部材との密着性を保証することが可能となる。
【００２５】
請求項５記載の発明は、上記弾性体が不織布性の繊維素材が用いられることを特徴としている。
本発明によれば、弾性体が不織布性の繊維素材であるので、繊維間で連続した空間部がない。これによりフレームの内部空間で発生した蒸気を含む空気が弾性体内に入り込むと、弾性体から外部に排気されることがない。この結果、フレームの内部空間で発生した蒸気を含む空気がフレームの外部空間に漏洩することが全くない。
【００２６】
請求項６記載の発明は、上記発泡部材が単泡構造を有していることを特徴としている。
本発明では、請求項５記載の発明と同様に、弾性体の内部で連続する空間部が存在しない。本発明によれば、弾性体内に浸入した蒸気を含む空気は弾性体内に止まり、外部に滲出することがない。この結果、フレームの内部空間で発生した蒸気がフレームの外部空間に漏洩しないので、フレームの外部空間を含む画像形成装置内部での結露は全く発生しない。
【００２７】
請求項７記載の発明は、請求項１乃至６のうちの一つに記載の定着装置を画像形成装置に用いることを特徴としている。
本発明では、定着装置のフレーム内で発生する蒸気がフレームの外部空間に漏洩しないので、画像形成装置内部での結露が解消できる。本発明によれば、画像形成装置内部での結露が発生しないので、潜像担持体に水滴が付着することが原因して起こる帯電特性の変化や画像の流れ落ちが完全に防止できる。
【００２８】
【発明の実施の形態】
以下、図面に示す実施例に基づき、本発明の実施の形態について説明する。
図１は、本実施例による定着装置が用いられる画像形成装置の一例を示す模式図である。
図１に示す画像形成装置は、潜像担持体である感光体を備えた複写機である。
図１において、複写機１には、垂直方向中央部に配置されている画像形成処理ユニットＡを境にして下部には給紙ユニットＢが、そして上部には原稿走査ユニットＣおよび自動原稿給送装置（Ａｕｔｏ  Ｄｏｃｕｍｅｎｔ  Ｆｅｅｄｅｒ）Ｄがそれぞれ配置されている。
【００２９】
画像形成処理ユニットＡには、回転ドラム状の潜像担持体である感光体２が備えられている。
感光体２の周辺には、感光体２の回転方向（本実施例では、図１において時計方向）に沿って画像形成処理を実行するための帯電装置（図示されず）、書き込み装置３，現像装置４，転写装置５およびクリーニング装置（図示されず）がそれぞれ配置されている。
【００３０】
画像形成処理ユニットＡでは、感光体２が帯電装置によって一様帯電されると書き込み装置３により静電潜像が形成される。静電潜像は現像装置４から供給されるトナーによって可視像処理されてトナー像となる。トナー像は転写装置５によって給紙ユニットＢから給送される用紙に対して転写される。
【００３１】
給紙ユニットＢは、複数の給紙カセット６，７，８，９を備えている。給紙カセットが選択されると、その給紙カセットに収容されている用紙のうちで最上位の用紙のみが繰り出される。給紙カセットから繰り出された用紙はレジストタイミングを設定するレジストローラ１０によって感光体２に向け給送される。感光体２に向け給送された用紙は、転写装置５によって感光体２上に担持されているトナー像を転写される。
【００３２】
転写後の感光体２は、クリーニング装置によって残留トナーの除去および除電されて再度、帯電装置により一様帯電されて画像形成のために準備される。
転写を終えた用紙は、定着装置１１に搬送されてトナー像が定着される。定着装置１１に関しては後で説明する。
【００３３】
定着を終えた用紙は排紙装置１２を経由して画像形成処理ユニットＡ内に設けられている排紙トレイ１３に排出されるルートと中継ユニット１４を経由してソータやコレータあるいはステープラなどが用いられる用紙後処理装置（フィニッシャ）１５に排出されるルートとのいずれかに搬送される。用紙後処理装置（フィニッシャ）１５を通過した用紙はこれに連続して設けられている排紙トレイ１６に向けて排出される。
【００３４】
用紙両面への画像形成を行う場合には、上記ルートとは別に設けられている反転搬送装置１７に向けて定着後の用紙が排出される。反転搬送装置１７を通過した用紙は、再度レジストローラ１０に向けて搬送されて今までとは反対側の面にトナー像が転写され、定着後、上記各ルートのいずれかが選択されて排出される。給紙ユニットＢの給紙カセット６，７，８，９にはないサイズあるいは材質の用紙をレジストローラ１０に向けて給送することも可能である。すなわち、画像形成処理ユニットＡの壁部には手差しトレイ１８が設けられており、特殊なサイズあるいは材質の用紙がレジストローラ１０に向けて給送できる。本実施例において用紙は、給紙ユニットＢから排紙トレイ１３あるいは１６を除く搬送路が垂直方向に設定されている。これにより、複写機１の設置スペースの面積が小さくされている。
【００３５】
原稿走査ユニットＣには、図示しないスキャナが組み込まれており、図示しない原稿載置台に載置された原稿を読み取るために走査する。自動原稿給送装置Ｄは、複数枚の原稿を自動的に給送して連続的にスキャナによる読み取りを行わせる装置である。
【００３６】
図２は、定着装置１１の構成を示す図である。
図２において、本実施例の定着装置１１は、熱ローラ方式が採用されている。このため、定着装置１１には、加熱ローラ１９と、加圧ローラ２０と、分離部材としての分離爪２１を有している。加熱ローラ１９は内部に２本のヒータ１９Ａを有している。加熱ローラ１９の表面には、該表面の温度を検知するためのサーミスタ２２が接触している。
【００３７】
加圧ローラ２０は、加圧レバー２３と加圧スプリング２４とにより加熱ローラ１９に圧接されている。加圧ローラ２０には、クリーニングローラ２５がスプリング２６により圧接されている。
【００３８】
分離爪２１は加熱ローラ１９の軸方向に間隔をおいて複数（本実施例では５個）配置されている（図４参照）。
図２において、分離爪２１はスプリング２７により付勢され、その先端が加熱ローラ１９の表面に所定の圧力で当接している。なお、図２において、符号２８は温度ヒューズ、２９は除電針、３０は排紙センサフィラー、３１は排紙駆動ローラ、３２は排紙従動ローラ、３３は満杯検知センサフィラーをそれぞれ示している。
【００３９】
定着装置１１の用紙出口側には、分離爪２１に対向して出口側用紙ガイド部材３４が配置されている。
出口側用紙ガイド部材３４は、片面コピーの場合に定着直後の画像面と反対側の用紙面をガイドすることができる位置に配置されている。出口側用紙ガイド部材３４は、用紙の搬送路に近付く場合と遠ざかる場合とが選択できるように回転することができる。
【００４０】
図３には出口側用紙ガイド部材３４が用紙の搬送路に近付いた場合が二点鎖線により、そして出口側用紙ガイド部材３４が用紙の搬送路から遠ざかった場合が実線によりそれぞれ示されている。
図２および図３において、出口側用紙ガイド部材３４の近傍には、定着装置１１の出口下流に用紙搬送ガイド部材３５が軸３６を支点として装置外方へ回動可能に設けられている。
図３において、複写機本体の右カバー３７は、軸３８を支点として装置外方へ回動可能に設けられており、右カバー３７を開放することにより上記略垂直な用紙搬送経路の大部分が開放されるようになっている。
【００４１】
定着装置１１でジャムが生じた場合には、まず、右カバー３７を開放し、用紙搬送ガイド部材３５を外方へ回動して開放した後、ジャムした用紙Ｐを取り出す。図３における実線で示す位置が、用紙搬送ガイド部材３５、右カバー３７の開放位置である。
【００４２】
図３および図４において、定着装置１１は、用紙の搬送出口Ｅを有する上フレーム３９と、下フレーム４０とからなる２分割構成のフレームを有しており、加熱ローラ１９や加圧ローラ２０の定着主要構成部材は下フレーム４０の内部に組付けられている。
【００４３】
出口側用紙ガイド部材３４は、加熱ローラ１９の軸方向に延びる回動支点としての回転軸３４ａ（図４参照）を有しており、この回転軸３４ａを上フレーム３９に支持されて回動可能に設けられている。
図５において、回転軸３４ａには付勢手段としてのねじりコイルバネ４１が組付けられていて、出口側用紙ガイド部材３４を分離爪２１側へ回動付勢している。
【００４４】
出口側用紙ガイド部材３４と上フレーム３９とは、図９に示されるように、それぞれ、受け部と被受け部として、互いに上下方向で重なり合うオーバーラップ部分３４ｄ、３９ｂを有しており、このオーバーラップ部分３４ｄ、３９ｂ同士の当接により出口側用紙ガイド部材３４がガイド位置に位置決めされる。
【００４５】
出口側用紙ガイド部材３４は、上フレーム３９に支持されている回転軸３４ａにより回転可能に支持されており、回転軸３４ａの一部には、図６および図７に示すように、径方向に突出して上フレーム３９の先端部３９ａとオーバーラップが可能な片部３４ｂが備えられている。
図９に示したオーバーラップ部分３４ｄ、３９ｂ同士の当接により出口側用紙ガイド部材３４が位置決めされた位置に閉じられると、片部３４ｂが上フレーム３９側の先端部３９ａに対向する。
【００４６】
上フレーム３９側の先端部３９ａと出口側用紙ガイド部材３４の回転軸３４ａ周面との間には、図７において符号Ｓで示すように、出口側用紙ガイド部材３４の回動を許容するための隙間が設けられている。隙間Ｓの存在により、出口側用紙ガイド部材３４の回転軸３４ａは、上フレーム３９の先端部３９ａと干渉することなく回動することができる。
【００４７】
出口側用紙ガイド部材３４が回転可能に支持されている位置に設けられている隙間Ｓには、これを塞いでフレームの内部空間と外部空間との間で蒸気を含む空気の流通を遮断する手段としての遮蔽部材４２が配置されている（図６Ａ、図６Ｂ参照）。
【００４８】
遮蔽部材４２は、隙間Ｓのスリット幅よりもやや大きめ（厚さが厚い）の弾性体で構成されており、上フレーム３９側の先端部３９ａに接合されて一体化されている。
【００４９】
遮蔽部材４２は、出口側用紙ガイド部材３４を閉じた状態において、出口側用紙ガイド部材３４の片部３４ｂおよび上フレーム３９の先端部３９ａにより挟持されて密着している。仮に、熱膨張により出口側用紙ガイド部材３４の片部３４ｂが上フレーム３９側の先端部３９ａに対して接離する方向に位置がずれた場合でも、遮蔽部材４２が変形可能であるので、片部３４ｂと先端部３９ａとの密着を維持することができる。
【００５０】
遮蔽部材４２は、出口側用紙ガイド部材３４が閉じられているときに加熱ローラ１９および加圧ローラ２０の上方に位置する片部３４ｂとこれにオーバーラップする上フレーム３９の先端部３９ａとの間に位置していることから、定着装置１１の上部に配置されている。これにより、定着装置１１の内部で発生した蒸気の一部が、定着装置１１の内部で発生する上昇気流により回転軸３４ａ側の隙間Ｓに向けて移動しても出口側用紙ガイド部材３４の片部３４ｂと上フレーム３９の先端部３９ａとの対向面間に位置する遮蔽部材４２によって移動が遮断されることになる。
【００５１】
遮蔽部材４２に用いられる弾性体としては、発泡部材や不織布性の繊維素材が用いられる。特に発泡部材の場合には、単泡構造（例えば吸水しないスポンジ）が用いられる。
発泡部材の場合、特に単泡構造であると、遮蔽部材４２の内部に連続する空間が構成されていないので、定着装置内部で発生した蒸気が一方の面に付着した場合でも内部に浸透することがない。この結果、隙間Ｓを蒸気が通過することがないので、定着装置１１の外部空間に蒸気が漏洩するのを完全に防止できる。不織布製の繊維素材の場合には、仮に内部に蒸気が侵入してもその途中で進行を阻まれてしまうので、外部に漏出することがなく、単泡構造の場合と同様に定着装置１１の外部空間に蒸気が漏洩することがない。
【００５２】
図５において、出口側用紙ガイド部材３４の用紙ガイド面側には用紙搬送方向に延びる複数のリブ３４ｃが形成されている。リブ３４ｃの存在によって用紙と出口側用紙ガイド部材３４のガイド面との摩擦が低減され、搬送性を向上させることができる。
【００５３】
加えて、出口側用紙ガイド部材３４はジャム処理が容易に行えるように手で簡単に回動させることができるようになっているため、定着熱によって高温になった出口側用紙ガイド部材３４のガイド面の広い領域に手が触れた場合、火傷等の危険性があるが、リブ３４ｃの存在によってこのような懸念がなくなる。フィン形状のリブ３４ｃは放熱性が良いので、リブ３４ｃ自体に手が触れてもガイド面の熱は伝わりにくい。
【００５４】
本実施例は以上のような構成であるから、複写機１の画像形成処理ユニットＡにおいてトナー像を転写された用紙Ｐは、定着装置１１の下フレーム４０に開口された入口ガイド部４３（図３参照）から定着装置１１内に送り込まれ、加熱ローラ１９と加圧ローラ２０とで挟持されて熱と圧力によりトナー像が定着される。
【００５５】
トナー像が定着された用紙Ｐは、加熱ローラ１９の曲率によりローラ表面から分離されて上フレーム３９と出口側用紙ガイド部材３４に構成された搬送出口Ｅから定着装置１１外へ排出される。この際、用紙Ｐの搬送状態によって、薄紙等では用紙先端が画像面側の上フレーム３９によって形成された搬送ガイド３９ｃ（図４参照）に沿って排出される場合や、厚紙などのように曲げ剛性が高い用紙Ｐでは用紙先端が出口側用紙ガイド部材３４に沿って排出される場合がある。
【００５６】
出口側用紙ガイド部材３４は回動可能に上フレーム３９に支持されているが、用紙Ｐが出口側用紙ガイド部材３４に沿って排出される場合でも、通常の搬送による用紙Ｐの力では出口側用紙ガイド部材３４が動くことはなく、良好に用紙Ｐをガイドすることができる。
【００５７】
薄紙や用紙先端近くに画像が多く形成されてトナーの粘着性が高い場合など、加熱ローラ１９の曲率だけでは用紙Ｐを分離しきれないときには、用紙Ｐが加熱ローラ１９に巻き付くように排出され、加熱ローラ１９に当接している分離爪２１よって剥離される。
【００５８】
分離爪２１の先端が摩耗していたり、爪先端部にトナーなどが多く溜まっていたりして爪先端部が加熱ローラ１９の表面から浮いていると、用紙先端が分離爪２１と加熱ローラ１９との間に入り込みジャムが発生する。
【００５９】
連続コピー時に定着装置１１よりも下流側でジャムが発生したときなどで定着装置１１の出口部分で後続の用紙Ｐが前の用紙Ｐに追いついてしまうことがある。
ジャム発生から装置が停止するまで一定時間かかるため、このようなジャムの場合には、ジャム発生後も定着装置１１内に用紙Ｐが送り込まれ続けて定着装置１１の出口部分で用紙Ｐが蛇腹状になって滞留してしまうことがある。
【００６０】
この結果、定着装置１１の出口部で用紙Ｐは蛇腹状になりながら出口側用紙ガイド部材３４のガイド面のほぼ全面に亘って押し付けられる。この押し付ける力は通常の搬送時に作用する力よりも大きくなる。
【００６１】
出口側用紙ガイド部材３４が用紙Ｐの力により開放方向に回動すると、定着装置１１の出口部分のスペースが広くなる。
これにより用紙Ｐの逃げるスペースができるため、出口側用紙ガイド部材３４が固定されている構成に比べて、用紙Ｐはジャム解消し易い状態になって停止する。すなわち、逃げのスペースが無いことによるジャム用紙の複雑な絡まりが大幅に軽減される。
【００６２】
ジャム処理を行うときは、複写機本体の右カバー３７と用紙搬送ガイド部材３５とを開放して定着装置１１の上方からジャムした用紙の押圧力で半ば開いた状態にある出口側用紙ガイド部材３４を最大限に開放してジャムした用紙を引き出すことができる。
【００６３】
出口側用紙ガイド部材３４は、ジャムした用紙を外部に取り出すときおよび用紙を排紙トレイに向けて排出するときには、片部３４ｂが上フレーム３９の先端部３９ａとの対向状態を変化させる。
【００６４】
図８（Ａ）に示されているように、片部３４ｂと先端部３９ａ同士が重なり合っている場合および、図８（Ｂ）に示されているように、片部３４ｂが先端部３９ａから離れる場合のいずれにおいても、回転軸３４ａの回動部に設けられている隙間Ｓが遮蔽部材４２によって塞がれているので、定着装置１１の内部で発生した蒸気が定着装置１１の外部空間に漏洩することがない。
【００６５】
図８（Ｂ）において実線で示す矢印は定着装置１１の内部で発生した蒸気が移動する方向を示しており、二点鎖線で示す矢印は、遮蔽部材４２が存在していない場合に蒸気が移動する方向を示している。この結果、定着装置１１の内部で発生した蒸気は定着装置１１の外部空間に流れることがないので、排紙装置１２等に付着することがない。排紙装置１２などに蒸気が付着しないので、複写機内部での結露が発生することがなく、結露が発生した場合の水滴が感光体２に付着することもない。これにより、感光体２での帯電特性の悪化や画像流れを確実の防止することができる。
【００６６】
【発明の効果】
以上説明したように、本発明によれば、定着装置で発生した蒸気を定着装置の外部空間を含む画像形成装置内部に漏洩させないようにすることが可能となる。これにより、画像形成装置の内部で結露を発生させることが完全に解消される。
【００６７】
画像形成装置の内部で結露が完全に解消できるので、潜像担持体をはじめとする部材が水滴により汚染されることや潜像担持体の帯電特性の変化、さらには画像流れを確実に防止することができる。
【図面の簡単な説明】
【図１】本発明の実施の形態に係る定着装置を適用した画像形成装置の一例を示す模式図である。
【図２】図１で示した画像形成装置の略垂直搬送経路周辺の構成を示す正面図である。
【図３】画像形成装置の右カバーと用紙搬送ガイド部材を開放した状態を示す正面図である。
【図４】定着装置の分解斜視図である。
【図５】定着装置に用いられる上フレームと出口側用紙ガイド部材との配置構成を説明する斜視図である。
【図６】図５に示した配置構成を説明するための図であり、（Ａ）は正面図（Ｂ）は（Ａ）中、符号（Ｂ）で示す位置の拡大図である。
【図７】図６に示した構成を採用する理由を説明するための模式図である。
【図８】図６に示した配置構成での作用を説明するための図であり、（Ａ）は出口側用紙ガイド部材の通常態位を、（Ｂ）はジャム解消時での出口側用紙ガイド部材の状態をそれぞれ示している。
【図９】図５に示した出口側用紙ガイド部材の位置決めのための構成を説明するための模式図である。
【符号の説明】
１      画像形成装置の一つである複写機
２      潜像担持体である感光体
１１    定着装置
１９    定着ローラをなす加熱ローラ
２０    加圧ローラ
３４    出口側用紙ガイド部材
３４ｂ  片部
３９    上フレーム
３９ａ  片部に対向してオーバーラップする上フレームの先端部
４２    遮蔽部材
【図１】
0003965024.tif 000002
【図２】
0003965024.tif 000003
【図３】
0003965024.tif 000004
【図４】
0003965024.tif 000005
【図５】
0003965024.tif 000006
【図６】
0003965024.tif 000007
【図７】
0003965024.tif 000008
【図８】
0003965024.tif 000009
【図９】
0003965024.tif 000010